(57)【特許請求の範囲】
【請求項１】
リアルタイム型インターネットファクシミリ通信、及び、ＶｏＩＰを利用する見做し音声方式のファクシミリ通信を実行可能な通信装置であって、
予め登録された通信相手のそれぞれが、前記リアルタイム型インターネットファクシミリ通信を実行可能か、前記見做し音声方式のファクシミリ通信を実行可能かを示す相手先情報が記憶された記憶手段と、
通信相手と呼接続を確立することによって音声通信を行う音声通信手段と、
前記呼接続が確立されている間に前記音声通信手段による音声通信をファクシミリ通信に切り換える際に、前記記憶手段に記憶された相手先情報に基づいて、前記音声通信の通信相手が前記リアルタイム型インターネットファクシミリ通信を実行可能な場合に、画像データを送信するために前記リアルタイム型インターネットファクシミリ通信を実行する通信手段と
を備えることを特徴とする通信装置。
【請求項２】
前記相手先情報には、前記通信相手と過去にファクシミリ通信を実行した際に用いられた方式を示す履歴情報が含まれ、
前記通信手段は、実行中の音声通信の通信相手に対応する履歴情報が示す方式が、前記リアルタイム型インターネットファクシミリ通信である場合に、前記リアルタイム型インターネットファクシミリ通信を実行することを特徴とする請求項１記載の通信装置。
【請求項３】
前記通信手段は、実行中の音声通信の通信相手が、前記相手先情報に登録されていない場合に、前記見做し音声方式のファクシミリ通信を実行することを特徴とする請求項１または２に記載の通信装置。
【請求項４】
前記通信手段は、実行中の音声通信の通信相手が、前記リアルタイム型インターネットファクシミリ通信を実行不可能な場合に、前記見做し音声方式のファクシミリ通信を実行することを特徴とする請求項１乃至３のいずれか１項に記載の通信装置。
【請求項５】
前記音声通信を開始する際は、メディア種別としてａｕｄｉｏを選択し、前記リアルタイム型インターネットファクシミリ通信を開始する際に、メディア種別としてｉｍａｇｅを選択する選択手段をさらに備えることを特徴とする請求項１乃至４のいずれか１項に記載の通信装置。
【請求項６】
前記通信手段は、音声通信を実行中にユーザが所定の操作を行ったことに応じてファクシミリ通信への切り替えを行うことを特徴とする請求項１乃至５のいずれか１項に記載の通信装置。
【請求項７】
前記リアルタイム型インターネットファクシミリ通信は、Ｔ．３８方式のファクシミリ通信であることを特徴とする請求項１乃至６のいずれか１項に記載の通信装置。
【請求項８】
リアルタイム型インターネットファクシミリ通信、及び、ＶｏＩＰを利用する見做し音声方式のファクシミリ通信を実行可能な通信装置の制御方法であって、
通信相手と呼接続を確立することによって音声通信を行う音声通信ステップと、
前記呼接続が確立されている間に前記音声通信ステップによる音声通信をファクシミリ通信に切り換える際に、予め登録された通信相手のそれぞれが、前記リアルタイム型インターネットファクシミリ通信を実行可能か、前記見做し音声方式のファクシミリ通信を実行可能かを示す相手先情報が記憶された記憶手段に記憶された相手先情報に基づいて、前記音声通信の通信相手が前記リアルタイム型インターネットファクシミリ通信を実行可能な場合に、画像データを送信するために前記リアルタイム型インターネットファクシミリ通信を実行する通信ステップと
を備えることを特徴とする制御方法。
【請求項９】
リアルタイム型インターネットファクシミリ通信、及び、ＶｏＩＰを利用する見做し音声方式のファクシミリ通信を実行可能な通信装置の制御方法をコンピュータに実行させるためのプログラムであって、
前記制御方法は、
通信相手と呼接続を確立することによって音声通信を行う音声通信ステップと、
前記呼接続が確立されている間に前記音声通信ステップによる音声通信をファクシミリ通信に切り換える際に、予め登録された通信相手のそれぞれが、前記リアルタイム型インターネットファクシミリ通信を実行可能か、前記見做し音声方式のファクシミリ通信を実行可能かを示す相手先情報が記憶された記憶手段に記憶された相手先情報に基づいて、前記音声通信の通信相手が前記リアルタイム型インターネットファクシミリ通信を実行可能な場合に、画像データを送信するために前記リアルタイム型インターネットファクシミリ通信を実行する通信ステップと
を備えることを特徴とするプログラム。
【発明の詳細な説明】
【技術分野】
【０００１】
本発明は、通信装置及びその制御方法、並びにプログラムに関し、特に、見做し音声方式、及びＴ．３８方式のいずれの方式でもファクシミリ送信可能な通信装置及びその制御方法、並びにプログラムに関する。
【背景技術】
【０００２】
近年、ＩＰ網に接続し、インターネット上でファクシミリ通信を行うインターネットファクシミリ装置が普及しつつある。ＩＰ網経由でファクシミリ通信を実現するには下記の方式がある。
【０００３】
まず、ファクシミリ信号をＩＦＰ（Internet Facsimile Protocol）と呼ぶプロトコルを使ってＩＰパケットに乗せてリアルタイムに転送するＩＴＵ−Ｔ  Ｔ．３８方式がある。
【０００４】
本方式でのセッションの接続は、ＳＩＰ技術を用いてピア・ツウ・ピア接続を行う。ＳＩＰとはアプリケーション層で、音声や映像、テキストメッセージの交換などを行うために必要なセッションの生成・変更・切断を行うプロトコルである。
【０００５】
セッションを開始するときには、送信するメディアタイプ（audio, video, application, image）を指定する。
【０００６】
例えば、音声通信を行うときは，メディアタイプをaudioとする。また、Ｔ．３８通信を行う場合には、メディアタイプをimageまたはapplicationのセッションであることが必要である。
【０００７】
一方、インターネット回線を用いたサービスの１つとして、ＩＰ電話が普及しつつある。ＩＰ電話のベースとなるのは、インターネット上で音声データをリアルタイムで送受するＶｏＩＰ（Voice over Internet Protocol）という技術である。
【０００８】
このＶｏＩＰ技術を利用して、ファクシミリ信号を音声信号と見做してインターネット上でリアルタイムに通信する見做し音声方式のファクシミリ通信も行われている。
【０００９】
その例として、ＩＰ網に接続されるファクシミリ装置において、見做し音声方式のファクシミリ通信を行うことができると共に、Ｔ．３８方式のファクシミリ通信を実現できる技術が開示されている（例えば、特許文献１参照）。
【００１０】
また、従来より、電話機能を持つファクシミリ装置では、電話で通話後にそのままファクシミリ通信に移行する手動送信を行う場合がある。
【先行技術文献】
【特許文献】
【００１１】
【特許文献１】特開２００３−３０９７０１号公報
【発明の概要】
【発明が解決しようとする課題】
【００１２】
しかしながら、見做し音声方式のファクシミリ通信とＴ．３８方式のファクシミリ通信はそれぞれ独立していて通信することが一般的であり、連携して通信するようなことは特に行っていなかった。
【００１３】
通話接続する場合には、ＳＩＰにおいてメディアタイプ（ｍ）が音声（audio）のセッションで接続される。
【００１４】
一方、Ｔ．３８通信を行う場合には、メディアタイプ（ｍ）がimage又はapplicationのセッションであることが必要であるが、音声のセッションで接続された場合には、受信機側にＴ．３８能力があるかは不明である。
【００１５】
この状態で通話からファクシミリ送信へ切り換えるには、メディタイプが音声（ｍ＝audio）のままでファクシミリ通信が行える見做し音声通信となる。
【００１６】
この見做し音声通信法式のファクシミリ通信は３３．６ｋｂｐｓが最高速度となり、Ｔ．３８通信方式と比べて通信速度が非常に遅い。
【００１７】
ここで、音声（ｍ＝audio）での接続でも相手先端末通信装置がＴ．３８通信能力をもっていれば、ｍ＝image、またはapplicationでＴ．３８方式で通信をすべきである。しかし、相手先端末通信装置がＴ．３８通信能力をもっているかどうか判断する術がない。
【００１８】
本発明の目的は、リアルタイム型インターネットファクシミリ通信、及びＶｏＩＰを利用する見做し音声方式のファクシミリ通信を実行可能な通信装置で、音声通信からファクシミリ通信に切り換える際に、より高速な方式でファクシミリ通信を行うことにある。
【課題を解決するための手段】
【００１９】
上記目的を達成するために、請求項１の通信装置は、リアルタイム型インターネットファクシミリ通信、及び、ＶｏＩＰを利用する見做し音声方式のファクシミリ通信を実行可能な通信装置であって、予め登録された通信相手のそれぞれが、前記リアルタイム型インターネットファクシミリ通信を実行可能か、前記見做し音声方式のファクシミリ通信を実行可能かを示す相手先情報が記憶された記憶手段と、通信相手と呼接続を確立することによって音声通信を行う音声通信手段と、前記呼接続が確立されている間に前記音声通信手段による音声通信をファクシミリ通信に切り換える際に、前記記憶手段に記憶された相手先情報に基づいて、前記音声通信の通信相手が前記リアルタイム型インターネットファクシミリ通信を実行可能な場合に、画像データを送信するために前記リアルタイム型インターネットファクシミリ通信を実行する通信手段とを備えたことを特徴とする。
【発明の効果】
【００２０】
本発明によれば、リアルタイム型インターネットファクシミリ通信、及びＶｏＩＰを利用する見做し音声方式のファクシミリ通信を実行可能な通信装置で、音声通信からファクシミリ通信に切り換える際に、より高速な方式でファクシミリ通信を行うことができる。
【図面の簡単な説明】
【００２１】
【図１】本発明の実施の形態に係る通信装置の概略構成を示す図である。
【図２】図１の通信装置のソフトウェアの概略構成を示す図である。
【図３】図１の通信装置の宛先表の項目例を示す図である。
【図４】図１の通信装置の通信履歴情報の項目例を示す図である。
【図５】図１の通信装置により実行される通信内容を示すシーケンス図である。
【図６】図１の通信装置により実行される切り換え処理の手順を示すフローチャートである。
【発明を実施するための形態】
【００２２】
以下、本発明の実施の形態について図面を参照しながら詳述する。
【００２３】
図１は、本発明の実施の形態に係る通信装置１００の概略構成を示す図である。
【００２４】
図１において、ＣＰＵ１０１は、システム制御部であり、装置全体を制御する。ＲＯＭ１０２は、ＣＰＵ１０１の制御プログラムを格納するものである。ＲＡＭ１０３は、ＳＲＡＭ等で構成され、画像データを蓄積する為のものである。画像メモリ１０４は、ＤＲＡＭ等で構成され、画像データを蓄積する為のものである。
【００２５】
解像度変換処理部１０５は、ラスタデータのミリ−インチ解像度変換等の解像度変換制御を行うものである。読取記録用符号化復号化処理部（読取・記録用コーデック）１０６は、通信装置で扱う画像データの符号化復号化処理を行う。
【００２６】
時計部１０７は、動作間隔等を計測するもので、ＩＣ等で構成される。モデム１０８は、回線からの変調された信号を復調したり、逆に装置からの信号を変調し回線に送出するものである。
【００２７】
ＮＣＵ１０９はアナログ回線とのＩ／Ｆ部である。ＰＳＴＮ１１０は、アナログ回線である。電話機１１１は、通話に使用するハンドセットや留守番電話等の電話機である。音声用符号化復号化処理部１１２は、音声を符号化し、または符号化された音声信号を復号化する処理を行う。この音声用符号化復号化処理部１１２は、Ｇ．７１１及びＧ．７２９といった音声符号化方式をサポートする。
【００２８】
ＬＡＮインタフェース１１３は、ネットワークに関する制御するためのものであり、ＮＩＣなどで構成される。ＬＡＮ１１４は、構内ＩＰまたはＮＧＮなどを示す。
【００２９】
画像処理部１１５は、スキャナによって読み込まれた画像データに補正処理を施して高精細な画像データを出力するものである。
【００３０】
シートスキャナ１１６、及びブックスキャナ１１７は、ＣＳイメージセンサ、原稿搬送機構などで構成され、原稿を光学的に読み取って電気的な画像データに変換するものである。いずれも両面原稿の読み取りを行うこともできる。
【００３１】
操作部１１８は、キーボード、表示部等で構成され、オペレータが各種入力操作を行うためのものである。ハンドセットがオフフック時に即時ダイヤル操作可能を示す。また、外付け電話機がオフフック時には、通信中であることの表示及び通信予約受け付け可能なことを表示する。
【００３２】
ラインバッファ１１９は、画像データの転送制御を行う場合に使用するするラインバッファである。プリントバッファ１２０は、印字用文字コードを格納する為の１ページ分のバッファメモリである。
【００３３】
プリンタ１２１は、受信画像やファイルデータを普通紙に記録するＬＢＰ等のプリンタであり、両面記録を行うことができる。
【００３４】
図２は、図１の通信装置１００のソフトウェアの概略構成を示す図である。
【００３５】
図２におけるソフトウェア構成は、Ｇ３ファクシミリのアプリケーションが見做し音声通信方式とＴ．３８方式のファクシミリとで共有して実行するための構成を示している。この図２において、既出の符号についての説明は省略する。
【００３６】
図２において、Ｇ３ファクシミリ送信の場合、操作部１１８から送信操作を行うと、ジョブ制御部２０１でＦＡＸ送信ジョブが生成され、通信管理部２０２へ通知される。
【００３７】
通信管理部２０２は回線制御部２０４に対して発信処理を依頼し、回線制御部２０４からモデム１０８、ＮＣＵ１０９に対してダイヤル操作を行うように通知する。
【００３８】
発信が終了し相手先と接続されると、通信管理部２０２は、ＦＡＸ通信制御部２０３を起動させ、Ｔ．３０プロトコルの制御をモデム１０８、ＮＣＵ１０９に対して行い、Ｇ３ファクシミリ通信を実行する。
【００３９】
見做し音声通信の場合、操作部１１８にて見做し音声通信方式にファクシミリ通信が選択される。ジョブ制御部２０１でＩＰ電話による発信・通話ジョブが生成され、通信管理部２０２を通して回線制御部２０４へ通知される。
【００４０】
回線制御部２０４はＩＰ電話による発信なので、プロトコルスタック２０５に対してＳＩＰにより相手先と接続するように通知する。プロトコルスタック２０５で作成されたＳＩＰメッセージはＬＡＮインタフェース１１３を介してＬＡＮ１１４へ送信される。
【００４１】
ＳＩＰにより相手先との音声によるセッションが生成されると、電話機１１１からの音声入力が音声用符号化復号化処理部１１２により符号化され、プロトコルスタックのＲＴＰにより音声がＬＡＮ１１４へ送信される。
【００４２】
操作部１１８からの送信開始操作により、ＦＡＸ通信制御部２０３はファクシミリ通信を開始する。モデム１０８を通して生成したファクシミリ手順信号及び画像データは、音声用符号化復号化処理部１１２により符号化されプロトコルスタック２０５のＲＴＰで接続相手先へ送信される。
【００４３】
また、リアルタイム型インターネットファクシミリの送信の場合には、操作部１１８からＩＰ網選択またはＳＩＰ選択などによりリアルタイム型インターネットファクシミリ通信が選択される。
【００４４】
ジョブ制御部２０１でリアルタイム型インターネットファクシミリ送信ジョブが生成され、通信管理部２０２へ通知される。通信管理部２０２は回線制御部２０４を通して、プロトコルスタック２０５に対してＳＩＰで相手先と接続するように通知する。
【００４５】
プロトコルスタック２０５で作成されたＳＩＰメッセージはＬＡＮインタフェース１１３を介してＬＡＮ１１４へ送信される。
【００４６】
ＳＩＰにより相手先とのセッションが生成されると、通信管理部２０２は接続相手先とＴ．３８によるリアルタイム型インターネットファクシミリ手順を行う。
【００４７】
このように、通信装置１００は、ファクシミリ送信を、Ｔ．３８方式、及びＶｏＩＰを利用した見做し音声方式の２つの方式で実行可能となっている。
【００４８】
図３は、図１の通信装置１００の宛先表の項目例を示す図である。
【００４９】
図３において、宛先表の項目例は、相手先名称３０１、相手先番号３０２、及び通信方式３０３から構成される。
【００５０】
相手先名称３０１は、相手先を特定する名称である。相手先番号３０２は相手先の電話番号を示す。通信方式３０３は、相手先とで可能なファクシミリの通信方式を示し、ＩＰＦＡＸ（Ｔ．３８）、及びＧ３ＦＡＸ（見做し音声）のうちの少なくとも一方で示される。この宛先表は、例えばＲＯＭ１０２または図示しないハードディスクドライブに記憶されている。この場合、ＲＯＭ１０２は、書き換え可能なフラッシュメモリなどである。
【００５１】
図４は、図１の通信装置１００の通信履歴情報の項目例を示す図である。
【００５２】
図４において、通信履歴情報は、通信相手と過去にファクシミリ送信した際に用いられた方式を示し、受付番号４０１、相手先情報４０２、通信方式４０３、ページ数４０４、通信時間４０５、及び通信結果４０６から構成される。
【００５３】
まず、受付番号４０１は、ジョブごとに割り当てられる受付番号を示す。相手先情報４０２は、相手先の電話番号を示す。通信方式４０３は、その通信で用いられた通信方式を示し、ＩＰＦＡＸ（Ｔ．３８）、及びＧ３ＦＡＸ（見做し音声）のうちの少なくとも一方で示される。
【００５４】
ページ数４０４は、通信したページ数を示す。通信時間４０５は、実際に通信した時間を示す。通信結果４０６は、ファクシミリ通信結果（ＯＫ／ＮＧ）を示す。
【００５５】
この通信履歴情報は、例えばＲＯＭ１０２または図示しないハードディスクドライブに記憶されている。この場合、ＲＯＭ１０２は、書き換え可能なフラッシュメモリなどである。
【００５６】
上述した図３の宛先表、及び図４の履歴情報は、予め登録された通信相手の各々が、２つの方式のいずれの方式でファクシミリ送信が可能であるかを示す相手先情報に対応する。そして本実施の形態の場合は、ＲＯＭ１０２が記憶手段に対応する。
【００５７】
図３の宛先表によれば、項目「通信方式」により、２つの方式のいずれの方式でファクシミリ送信が可能であるかを示している。また、図４の履歴情報でも、項目「通信方式」により、２つの方式のいずれの方式でファクシミリ送信が可能であるかを示している。
【００５８】
図５は、図１の通信装置１００により実行される通信内容を示すシーケンス図である。
【００５９】
図５では、オフフックダイヤルから音声での接続を行い、音声通話からＴ．３８通信に切り替わる場合の送受信側双方の通信内容を示すシーケンス図となっている。また、このシーケンス図に示される処理は、ＣＰＵ１０１により実行される。
【００６０】
送信側からのメディア種別（ｍ）がaudioのＩＮＶＩＴＥリクエスト（セッション確立要求）を送信する（ステップＳ５０１）。
【００６１】
受信側は「１００  Trying」（処理中）を送信し（ステップＳ５０２）、さらに「１８０  Ringing」（呼び出し中）レスポンスを経て（ステップＳ５０３）、「２００  OK」（成功）レスポンスを送信する（ステップＳ５０４）。
【００６２】
そして、受信側は送信側のＡＣＫ（確認応答）を送信して（ステップＳ５０５）、ｍ＝audioのセッションを一旦生成する。これにより、音声通話がされる。
【００６３】
この音声通話状態の後に、オペレータにより送信原稿がセットされ、スタートキーの押下により送信操作が確定する。
【００６４】
ここで、送信側の宛先表にて受信側の通信方式がＴ．３８で登録されているか、または送信側の通信履歴情報にて、受信側へＴ．３８通信で通信を行った履歴があるとする。
【００６５】
この場合、送信側は、メディア種別（ｍ）がimageのｒｅＩＮＶＩＴＥリクエスト（セッション再確立要求）を送信し（ステップＳ５０６）、受信側にｍ＝imageのセッション生成を要求する。
【００６６】
受信側から「２００  OK」（成功）が送信され（ステップＳ５０７）、これに対して受信側がＡＣＫ（確認応答）を送信することで（ステップＳ５０８）、ｍ＝imageのセッションが確立し、Ｔ．３８通信が開始される。その後、ファクシミリ信号に関するメッセージである「T30  IND：CED」などが送信され（ステップＳ５０９）、画像データの送信がＴ．３８通信により実行される。
【００６７】
Ｔ．３８通信の終了後に、送信側はＢＹＥ（切断）を送信し（ステップＳ５１０）、受信機側は「２００  OK」（成功）を送信して（ステップＳ５１１）、ＳＩＰ標準接続シーケンスによるＴ．３８通信が終了する。
【００６８】
図６は、図１の通信装置１００により実行される切り換え処理の手順を示すフローチャートである。
【００６９】
図６の切り替え処理は、電話機１１１をフックして（オフフックダイヤル）から音声での接続を行い、音声通信からＴ．３８通信に切り換える処理を示している。また、この切り換え処理は、ＣＰＵ１０１により実行される。
【００７０】
図６において、オペレータにより電話機１１１をフックアップされると（ステップＳ６０１）、次いでテンキーなどを用いて相手先電話番号が入力される（短縮ダイヤル、宛先表を選択するでもよい）（ステップＳ６０２）。なお、上記フックアップは、操作部１１８のオフフックボタンを押下するでもよい。また、電話番号の入力は短縮ダイヤル、宛先表を選択することで入力するようにしてもよい。
【００７１】
次いで、ＳＩＰでメディアタイプ（ｍ）を音声（audio）として発信する（ステップＳ６０３）。これにより、ＳＩＰで呼接続され、音声通話が可能となる。このステップＳ６０３は、通信相手と音声通信を行う音声通信手段に対応する。
【００７２】
その後、オペレータにより通話状態からファクシミリ送信処理を行うために送信原稿がセットされる（ステップＳ６０４）。
【００７３】
そして、操作部１１８より、送信開始を示すスタートキーが押下されると（ステップＳ６０５でＹＥＳ）、宛先表に相手電話番号が登録され、かつ通信方式がＴ．３８通信方式か否か判別する（ステップＳ６０６）。テンキーなどを用いて相手先番号が入力された場合は、宛先表を検索して相手先番号と一致し、Ｔ．３８通信方式で登録されているか否かを判別する。
【００７４】
ステップＳ６０７の判別の結果、宛先表に相手電話番号が登録され、かつ通信方式がＴ．３８通信方式のとき（ステップＳ６０７でＹＥＳ）、メディアタイプ（ｍ）をimageまたはapplicationで再接続処理を行う（ステップＳ６０８）。
【００７５】
再接続後、Ｔ．３８方式によるファクシミリ送信を行う（ステップＳ６０９）。このステップＳ６０９は、音声通信から、ファクシミリ送信に切り換える際に、相手先情報から、音声通信中の通信相手がＴ．３８方式でファクシミリ送信が可能な場合に、Ｔ．３８方式でファクシミリ送信する送信手段に対応する。また、ステップＳ６０７に示されるように、履歴情報が示す方式が、Ｔ．３８方式である場合に、Ｔ．３８方式でファクシミリ送信するようになっている。
【００７６】
Ｔ．３８方式による通信終了後、切断処理を行い（ステップＳ６１１）、本処理を終了する。
【００７７】
ステップＳ６０７の判別の結果、宛先表に相手電話番号が登録されていないか、または通信方式がＴ．３８通信方式ではないとき（ステップＳ６０７でＮＯ）、通信方式がＴ．３８方式で通信結果がＯＫの履歴情報があるか否か判別する（ステップＳ６０７）。
【００７８】
ステップＳ６０７の判別の結果、通信方式がＴ．３８方式で通信結果がＯＫの履歴情報があるとき（ステップＳ６０７でＹＥＳ）、上記ステップＳ６０８に進む。
【００７９】
一方、ステップＳ６０７の判別の結果、通信方式がＴ．３８方式で通信結果がＯＫの履歴情報がないとき（ステップＳ６０７でＮＯ）、音声接続のまま見做し音声通信方式によるファクシミリ通信を行い（ステップＳ６１０）、上記ステップＳ６１１に進む。すなわち、音声通信中の通信相手が、相手先情報に登録されていない場合、または音声通信中の通信相手が、Ｔ．３８方式でファクシミリ送信が不可能な場合に、見做し音声方式でファクシミリ送信する。
【００８０】
図６の切り換え処理によれば、音声通信から、ファクシミリ送信に切り換える際に、相手先情報から、音声通信中の通信相手がＴ．３８方式でファクシミリ送信が可能な場合に、Ｔ．３８方式でファクシミリ送信する。その結果、声通信からファクシミリ通信に切り換える場合に、より高速な方式でファクシミリ送信を行うことが可能となる。
【００８１】
また、ＩＰ電話機能、見做し音声通信機能、Ｔ．３８通信機能を併せもつ通信端末において手動送信を行う場合に、より高速な通信方式（Ｔ．３８通信方式）で相手先へファクシミリ送信を行うことができ、通信コストを軽減させる効果がある。
【００８２】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００８３】
１００  通信装置
１０１  ＣＰＵ
１０２  ＲＯＭ
１０３  ＲＡＭ
１０６  読取記録用符号化復号化処理部
１０８  モデム
１０９  ＮＣＵ
１１０  ＰＳＴＮ
１１１  電話機
１１２  音声用符号化復号化処理部
１１３  ＬＡＮインタフェース
１１４  ネットワーク
１１８  操作部
２０１  ジョブ制御部
２０２  通信監理部
２０３  ＦＡＸ通信制御部
２０４  回線制御部
２０５  プロトコルスタック
【図１】
0005812763.tif 000002
【図２】
0005812763.tif 000003
【図３】
0005812763.tif 000004
【図４】
0005812763.tif 000005
【図５】
0005812763.tif 000006
【図６】
0005812763.tif 000007